(57)【要約】【課題】動力伝達効率の低下や耐久性の低下を伴うことなく、かつ、組み立てやメンテナンスの作業負担を増大することなく、弦振動を抑制し騒音を低減するサイレントチェーンを提供すること。【解決手段】一対のガイドプレート１１０と複数のリンクプレート１２０よりなるガイドリンク列１０１と、複数のリンクプレート１３０よりなる非ガイドリンク列１０２とを連結ピン１４０により交互に連結編成されてなるサイレントチェーン１００において、前記ガイドリンク列１０１および／または非ガイドリンク列１０２の任意の１列あるいは複数列が、リンクプレート１２０、１３０より重量の大きいバラストリンクプレート１６０を含んで構成されていること。【選択図】図２
2010169123.tif 000002
【特許請求の範囲】
【請求項１】
一対のガイドプレートと、前記ガイドプレート間に配列された複数のリンクプレートよりなるガイドリンク列と、複数のリンクプレートよりなる非ガイドリンク列とを有し、前記ガイドプレート及びリンクプレートの前後一対のピン孔にピンが挿通されて、前記ガイドリンク列のリンクプレートと前記非ガイドリンク列のリンクプレートが交互に連結編成されてなるサイレントチェーンにおいて、
前記ガイドリンク列および／または非ガイドリンク列の任意の１列あるいは複数列が、リンクプレートより重量の大きいバラストリンクプレートを含んで構成されていることを特徴とするサイレントチェーン。
【請求項２】
前記ガイドリンク列および／または非ガイドリンク列の任意の１列あるいは複数列が、幅方向すべてに前記バラストリンクプレートを配置して構成されていることを特徴とする請求項１に記載のサイレントチェーン。
【請求項３】
前記ガイドリンク列および／または非ガイドリンク列の任意の１列あるいは複数列が、幅方向の一部に前記バラストリンクプレートを配置して構成されていることを特徴とする請求項１に記載のサイレントチェーン。
【請求項４】
前記バラストリンクプレートが、噛み合い面の背面の形状を拡大した拡大部を有することを特徴とする請求項１乃至請求項３のいずれかに記載のサイレントチェーン。
【請求項５】
前記拡大部が、走行方向前面に幅方向から見て凹状に形成された潤滑剤攪拌部を有することを特徴とする請求項４に記載のサイレントチェーン。
【請求項６】
前記バラストリンクプレートが、常にフリースパンに１つ以上存在するように配置されていることを特徴とする請求項１乃至請求項５のいずれかに記載のサイレントチェーン。
【発明の詳細な説明】
【技術分野】
【０００１】
本発明は、多数のリンクプレートを連結ピンにより連結しかつ最外側にガイドプレートを配置してなる動力伝達用のサイレントチェーンに関するものである。
【背景技術】
【０００２】
従来、動力伝達用チェーンとして用いられるサイレントチェーンにおいて、スプロケットやチェーンガイド等の他の部材と当接しないフリースパンで弦振動が発生し、該弦振動に伴う騒音が発生するという問題が知られており、フリースパンにおける弦振動を抑制するためサイレントチェーン自体にばねリンクを装着したものが公知である。
【０００３】
公知のサイレントチェーン５００は、図１１、図１２に示すように、各々一対の歯部５２１、５３１及びピン孔５２２、５３２が形成されたガイドリンク列のリンクプレート５２０と非ガイドリンク列のリンクプレート５３０を交互に積層するとともに、これらのリンクプレート５２０、５３０の各ピン孔５２２、５３２内に長、短一対のロッカーピン５４１からなる連結ピン５４０を挿入して、各リンクプレート５２０、５３０を枢動可能に連結し、さらにガイドリンク列のリンクプレート５２０の最外側にガイドプレート５１０を配置した構造を有し、幅方向略中央部には、ばねリンク５５０が縮設状態で挿入されている。
【０００４】
ばねリンク５５０は、図１３に示すように、波形状に形成され、連結ピン５４０を挿入するための一対のピン孔５５１を有しており、ばねリンク５５０の中央部は、対向するリンクプレート５２０の中央部に圧接し、またその両端部は対向する２つのリンクプレート５２０の各中央部に圧接している。
【０００５】
このばねリンク５５０の弾性反発力がサイレントチェーン５００の幅方向に作用することにより、隣り合う各リンクプレート５２０、５３０間に摩擦力が付与されて、サイレントチェーン５００の屈曲抵抗が増大し、この結果、サイレントチェーン５００の弦振動が抑制されて、動力伝達時の騒音が低減されるようになっている（特許文献１参照）。
【先行技術文献】
【特許文献】
【０００６】
【特許文献１】特開平８−７４９３９号公報（第２頁、図1、図２、図３）
【発明の概要】
【発明が解決しようとする課題】
【０００７】
しかしながら、公知のサイレントチェーン５００は、隣り合う各リンクプレート５２０、５３０間に摩擦力による屈曲抵抗の増大により動力伝達効率が低下するとともに、該摩擦に伴って発熱、摩耗等が増大し耐久性が低下するとともに、取り扱うべき部品点数の増加により組み立てやメンテナンスの作業負担も増大するという問題があった。
【０００８】
本発明は、前述したような従来技術の問題を解決するものであって、すなわち、本発明の目的は、動力伝達効率の低下や耐久性の低下を伴うことなく、かつ、組み立てやメンテナンスの作業負担を増大することなく、弦振動を抑制し騒音を低減するサイレントチェーンを提供することである。
【課題を解決するための手段】
【０００９】
本請求項１に係る発明は、一対のガイドプレートと、前記ガイドプレート間に配列された複数のリンクプレートよりなるガイドリンク列と、複数のリンクプレートよりなる非ガイドリンク列とを有し、前記ガイドプレート及びリンクプレートの前後一対のピン孔にピンが挿通されて、前記ガイドリンク列のリンクプレートと前記非ガイドリンク列のリンクプレートが交互に連結編成されてなるサイレントチェーンにおいて、前記ガイドリンク列および／または非ガイドリンク列の任意の１列あるいは複数列が、リンクプレートより重量の大きいバラストリンクプレートを含んで構成されていることにより、前記課題を解決するものである。
【００１０】
本請求項２に係る発明は、請求項１に記載されたサイレントチェーンの構成に加えて、前記ガイドリンク列および／または非ガイドリンク列の任意の１列あるいは複数列が、幅方向すべてに前記バラストリンクプレートを配置して構成されていることにより、前記課題をさらに解決するものである。
【００１１】
本請求項３に係る発明は、請求項１に記載されたサイレントチェーンの構成に加えて、前記ガイドリンク列および／または非ガイドリンク列の任意の１列あるいは複数列が、幅方向の一部に前記バラストリンクプレートを配置して構成されていることにより、前記課題をさらに解決するものである。
【００１２】
本請求項４に係る発明は、請求項１乃至請求項３のいずれかに記載されたサイレントチェーンの構成に加えて、前記バラストリンクプレートが、噛み合い面の背面の形状を拡大した拡大部を有することにより、前記課題をさらに解決するものである。
【００１３】
本請求項５に係る発明は、請求項４に記載されたサイレントチェーンの構成に加えて、前記拡大部が、走行方向前面に幅方向から見て凹状に形成された潤滑剤攪拌部を有することにより、前記課題をさらに解決するものである。
【００１４】
本請求項６に係る発明は、請求項１乃至請求項５のいずれかに記載されたサイレントチェーンの構成に加えて、前記バラストリンクプレートが、常にフリースパンに１つ以上存在するように配置されていることにより、前記課題をさらに解決するものである。
【発明の効果】
【００１５】
本請求項１に係る発明のサイレントチェーンは、一対のガイドプレートと、ガイドプレート間に配列された複数のリンクプレートよりなるガイドリンク列と、複数のリンクプレートよりなる非ガイドリンク列とを有し、ガイドプレート及びリンクプレートの前後一対のピン孔にピンが挿通されて、ガイドリンク列のリンクプレートと非ガイドリンク列のリンクプレートが交互に連結編成されてなるサイレントチェーンにおいて、ガイドリンク列および／または非ガイドリンク列の任意の１列あるいは複数列が、リンクプレートより重量の大きいバラストリンクプレートを含んで構成されていることにより、重量の大きいバラストリンクプレートを含んだ列がフリースパンを通過する際にサイレントチェーンのフリースパンにおける共振周波数が変化するため、弦振動に減衰力が働き、動力伝達効率の低下や耐久性の低下を伴うことなく、かつ、組み立てやメンテナンスの作業負担を増大することなく、弦振動が抑制され騒音を低減することができる。
【００１６】
また、本請求項２に係る発明のサイレントチェーンは、請求項１に係るサイレントチェーンが奏する効果に加えて、ガイドリンク列および／または非ガイドリンク列の任意の１列あるいは複数列が、幅方向すべてにバラストリンクプレートを配置して構成されていることにより、重量の大きいバラストリンクプレートを含んだ列の重量を他の列に比べて大きくすることができるため、共振周波数の変化が大きく、弦振動に大きな減衰力が働き、さらに弦振動が抑制され騒音を低減することができる。
【００１７】
本請求項３に係る発明のサイレントチェーンは、請求項１に係るサイレントチェーンが奏する効果に加えて、ガイドリンク列および／または非ガイドリンク列の任意の１列あるいは複数列が、幅方向の一部にバラストリンクプレートを配置して構成されていることにより、重量の大きいバラストリンクプレートを含んだ列の重量をその枚数で設定でき、複数の異なる共振周波数の変化パターンを任意に設定することができるため、弦振動に最適な減衰力が働き、さらに弦振動が抑制され騒音を低減することができる。
【００１８】
本請求項４に係る発明のサイレントチェーンは、請求項１乃至請求項３のいずれかに係るサイレントチェーンが奏する効果に加えて、バラストリンクプレートが噛み合い面の背面の形状を拡大した拡大部を有することにより、リンクプレートと同じ材質で形成でき、隣接するリンクプレートに干渉することなく、かつ、スプロケットの噛み合いにも影響を与えることなく重量を大きくすることができるため、動力伝達効率の低下や耐久性の低下を伴うことなく、弦振動が抑制され騒音を低減することができる。
【００１９】
本請求項５に係る発明のサイレントチェーンは、請求項４に係るサイレントチェーンが奏する効果に加えて、拡大部が走行方向前面に幅方向から見て凹状に形成された潤滑剤攪拌部を有することにより、走行するサイレントチェーンにより潤滑剤が効率的に攪拌されるため、サイレントチェーンの潤滑や冷却の効率をより向上させることができ、動力伝達効率の低下や耐久性の低下をさらに軽減することができる。
【００２０】
本請求項６に係る発明のサイレントチェーンは、請求項１乃至請求項５のいずれかに係るサイレントチェーンが奏する効果に加えて、バラストリンクプレートが常にフリースパンに１つ以上存在するように配置されていることにより、フリースパンにおける共振周波数が常に変化するため、さらに弦振動が抑制され騒音を低減することができる。
【発明を実施するための形態】
【００２１】
本発明は、一対のガイドプレートと、ガイドプレート間に配列された複数のリンクプレートよりなるガイドリンク列と、複数のリンクプレートよりなる非ガイドリンク列とを有し、ガイドプレート及びリンクプレートの前後一対のピン孔にピンが挿通されて、ガイドリンク列のリンクプレートと非ガイドリンク列のリンクプレートが交互に連結編成されてなるサイレントチェーンにおいて、ガイドリンク列および／または非ガイドリンク列の任意の１列あるいは複数列が、リンクプレートより重量の大きいバラストリンクプレートを含んで構成されてなり、動力伝達効率の低下や耐久性の低下を伴うことなく、かつ、組み立てやメンテナンスの作業負担を増大することなく、弦振動を抑制し騒音を低減するサイレントチェーンを提供することができるという効果を奏するものであれば、その具体的な実施態様は如何なるものであっても何ら構わない。
【実施例】
【００２２】
以下に、本発明の実施例であるサイレントチェーンについて、図面に基づいて説明する。
図１は、本発明の一実施例であるサイレントチェーンの使用形態の側面図であり、図２は、本発明の第１実施例であるサイレントチェーンの斜視図であり、図３は、図２の側面図であり、図４は、本発明の第１実施例であるサイレントチェーンのガイドプレートの側面図であり、図５は、本発明の第１実施例であるサイレントチェーンのリンクプレートの側面図であり、図６は、本発明の第１実施例であるサイレントチェーンのバラストリンクプレートの側面図であり、図７は、本発明の第２実施例であるサイレントチェーンの斜視図であり、図８は、図７の側面図であり、図９は、本発明の第３実施例であるサイレントチェーンの側面図であり、図１０は、図９のバラストリンクプレートの側面図である。
【００２３】
本発明の一実施例であるサイレントチェーン１００は、例えば図１に示すように、２つのスプロケットＳに掛け回されて回転を伝達するものであり、その際に、２つのスプロケットＳの間の区間において他の部材と当接しないフリースパンを有している。
【００２４】
本発明の第１実施例であるサイレントチェーン１００は、図２乃至図５に示すように、各々一対の歯部１２１、１３１及びピン孔１２２、１３２が形成されたガイドリンク列１０１のリンクプレート１２０と非ガイドリンク列１０２のリンクプレート１３０を交互に積層するとともに、これらのリンクプレート１２０、１３０の各ピン孔１２２、１３２内に連結ピン１４０を挿入して、各リンクプレート１２０、１３０を枢動可能に連結し、さらにガイドリンク列１０１のリンクプレート１２０の最外側にガイドプレート１１０を配置した構造を有している。
【００２５】
そして、任意の非ガイドリンク列１０２が幅方向のすべてのリンクプレート１３０に代えて、図６に示すような、一対の歯部１６１及びピン孔１６２が形成され歯部１６１の背面の形状を拡大した拡大部１６３を有するバラストリンクプレート１６０からなるように形成されており、他の非ガイドリンク列１０２よりも重量が大きくなるように形成されている。
なお、連結ピン１４０の構造は、本実施例では前述した従来例と同様の形状構造としているが、単一の円柱状ピンで構成しても良い。
【００２６】
このように形成されたサイレントチェーン１００は、バラストリンクプレート１６０からなる非ガイドリンク列１０２がフリースパンを通過する際に、その重量が変化することによってフリースパンにおける共振周波数が変化するため、弦振動に減衰力が働き、動力伝達効率の低下や耐久性の低下を伴うことなく、かつ、組み立てやメンテナンスの作業負担を増大することなく、弦振動が抑制され騒音を低減することができる。
【００２７】
バラストリンクプレート１６０からなる非ガイドリンク列１０２は、フリースパンの長さや数に応じて、サイレントチェーン１００の任意の列に配置すればよく、フリースパンに常に１つ以上存在するように配置することで、フリースパンにおける共振周波数が常に変化するため、さらに弦振動が抑制され騒音を低減することができ好適である。
【００２８】
また、バラストリンクプレート１６０は、他のリンクプレート１２０、１３０より重量を大きくしたものであり歯面が他のリンクプレート１２０、１３０と同一の形状を有するものであればいかなる形状、材質のものであっても良く、例えば、サイレントチェーン１００の背面側にチェーンガイド等が当接するような場合、背面側の形状も他のリンクプレート１２０、１３０と同一の形状として屈曲時に干渉しない位置に肉厚部を設けたり、他のリンクプレート１２０、１３０よりも比重の大きい材質として重量を増加させても良い。
【００２９】
さらに、任意のガイドリンク列１０１が幅方向のすべてのリンクプレート１２０に代えて、図６に示すような、一対の歯部１６１及びピン孔１６２が形成され歯部１６１の背面の形状を拡大した拡大部１６３を有するバラストリンクプレート１６０からなるように形成されて、他のガイドリンク列１０１よりも重量が大きくなるように形成されてもよい。
【００３０】
本発明の第２実施例であるサイレントチェーン２００は、図７、図８に示すように、各々一対の歯部１２１、１３１及びピン孔１２２、１３２が形成されたガイドリンク列１０１のリンクプレート１２０と非ガイドリンク列１０２のリンクプレート１３０を交互に積層するとともに、これらのリンクプレート１２０、１３０の各ピン孔１２２、１３２内に連結ピン１４０を挿入して、各リンクプレート１２０、１３０を枢動可能に連結し、さらにガイドリンク列１０１のリンクプレート１２０の最外側にガイドプレート１１０を配置した構造を有している。
【００３１】
そして、任意の複数の非ガイドリンク列１０２が、幅方向の一部のリンクプレート１３０に代えて、図６に示すような、一対の歯部１６１及びピン孔１６２が形成され歯部１６１の背面の形状を拡大した拡大部１６３を有するバラストリンクプレート１６０からなるように形成されており、他の非ガイドリンク列１０２よりも重量が大きくなるように形成されている。
なお、連結ピン１４０の構造は、本実施例では前述した従来例と同様の形状構造としているが、単一の円柱状ピンで構成しても良い。
また、バラストリンクプレート１６０の幅方向の配置は、サイレントチェーン２００全体で左右対称の枚数となるように複数の列に配置されるのが望ましい。
【００３２】
このように形成されたサイレントチェーン２００は、バラストリンクプレート１６０からなる非ガイドリンク列１０２がフリースパンを通過する際に、その重量が変化することによってフリースパンにおける共振周波数が変化するとともに、バラストリンクプレート１６０を含んだ列の重量をその枚数で任意に設定でき、複数の異なる共振周波数の変化パターンを任意に設定することができるため、弦振動に最適な減衰力が働き、さらに弦振動が抑制され騒音を低減することができる。
【００３３】
なお、バラストリンクプレート１６０は、第１実施例と同様に、他のリンクプレート１２０、１３０より重量が増加するものであり歯面が他のリンクプレート１２０、１３０と同一の形状を有するものであればいかなる形状、材質のものであっても良く、バラストリンクプレート１６０が任意のガイドリンク列１０１に配置されて他のガイドリンク列１０１よりも重量が大きくなるように形成されてもよい。
【００３４】
本発明の第３実施例であるサイレントチェーン３００は、図９、図１０に示すように、
バラストリンクプレート１７０が一対の歯部１７１及びピン孔１７２が形成され歯部１７１の背面の形状を拡大した拡大部１７３を有し、かつ、該拡大部１７３に走行方向前面に幅方向から見て凹状に形成された潤滑剤攪拌部１７４を有しており、他の構成は第１実施例または第２実施例と同様である。
【００３５】
このことにより、走行するサイレントチェーン３００により潤滑剤が効率的に攪拌されるため、サイレントチェーン３００の潤滑や冷却の効率をより向上させることができ、動力伝達効率の低下や耐久性の低下をさらに軽減することができる。
【００３６】
以上説明したように、本発明によれば、重量の大きいバラストリンクプレートを含んだ列がフリースパンを通過する際にサイレントチェーンのフリースパンにおける共振周波数が変化するため、弦振動に減衰力が働き、動力伝達効率の低下や耐久性の低下を伴うことなく、かつ、組み立てやメンテナンスの作業負担を増大することなく、弦振動が抑制され騒音を低減することができるなど、その効果は甚大である。
【図面の簡単な説明】
【００３７】
【図１】本発明の一実施例であるサイレントチェーンの使用形態の側面図。
【図２】本発明の第１実施例であるサイレントチェーンの斜視図。
【図３】図２の側面図。
【図４】本発明の第１実施例であるサイレントチェーンのガイドプレートの側面図。
【図５】本発明の第１実施例であるサイレントチェーンのリンクプレートの側面図。
【図６】本発明の第１実施例であるサイレントチェーンのバラストリンクプレートの側面図。
【図７】本発明の第２実施例であるサイレントチェーンの斜視図。
【図８】図７の側面図。
【図９】本発明の第３実施例であるサイレントチェーンの側面図。
【図１０】図９のバラストリンクプレートの側面図。
【図１１】従来のサイレントチェーンの側面図。
【図１２】従来のサイレントチェーンの平面図。
【図１３】従来のサイレントチェーンのばねリンクの２面図。
【符号の説明】
【００３８】
１００、５００  ・・・サイレントチェーン
２００、３００  ・・・サイレントチェーン
１１０、５１０  ・・・ガイドプレート
１２０、５２０  ・・・ガイドリンク列リンクプレート
１２１、５２１  ・・・歯部
１２２、５２２  ・・・ピン孔
１３０、５３０  ・・・非ガイドリンク列リンクプレート
１３１、５３１  ・・・歯部
１３２、５３２  ・・・ピン孔
１４０、５４０  ・・・連結ピン
５４１  ・・・ロッカーピン
５５０  ・・・ばねリンク
５５１  ・・・ピン孔
１６０          ・・・バラストリンクプレート
１６１          ・・・歯部
１６２          ・・・ピン孔
１６３          ・・・拡大部
１７０          ・・・バラストリンクプレート
１７１          ・・・歯部
１７２          ・・・ピン孔
１７３          ・・・拡大部
１７４          ・・・潤滑剤攪拌部
【図１】
2010169123.tif 000003
【図２】
2010169123.tif 000004
【図３】
2010169123.tif 000005
【図４】
2010169123.tif 000006
【図５】
2010169123.tif 000007
【図６】
2010169123.tif 000008
【図７】
2010169123.tif 000009
【図８】
2010169123.tif 000010
【図９】
2010169123.tif 000011
【図１０】
2010169123.tif 000012
【図１１】
2010169123.tif 000013
【図１２】
2010169123.tif 000014
【図１３】
2010169123.tif 000015